(57)【要約】【課題】本発明は携帯電子機器のディスプレイ部に保護フィルムを貼着するための保護フィルム貼着用器具及びこれを利用した保護フィルムの貼着方法に関する。【解決手段】本発明による保護フィルム貼着用器具は、携帯電子機器の背面を収容するように第１収容溝が形成されるケースと、ケースの一側に回動可能に設けられ、ケースを開閉するカバーと、携帯電子機器と対向するようにカバーに設けられるフィルム部材を含む。【選択図】図１
2017130907.tif 000002
【特許請求の範囲】
【請求項１】
携帯電子機器の背面を収容するように第１収容溝が形成されるケースと、
前記ケースの一側に回動可能に設けられ、前記ケースを開閉するカバーと、
前記携帯電子機器と対向するように前記カバーに設けられるフィルム部材を含む保護フィルム貼着用器具。
【請求項２】
前記ケースは内側に突出形成される突出部をさらに含み、前記第１収容溝が前記突出部に陥没形成されることを特徴とする請求項１に記載の保護フィルム貼着用器具。
【請求項３】
前記突出部は前記ケースの内側に順に段差形成される第１突出部と第２突出部を含むことを特徴とする請求項２に記載の保護フィルム貼着用器具。
【請求項４】
前記カバーは前記第２突出部を収容するように内側に陥没形成される第２収容溝を含み、前記ケースと前記カバーが結合するとき、前記第２突出部が前記第２収容溝に嵌合結合することを特徴とする請求項３に記載の保護フィルム貼着用器具。
【請求項５】
前記ケースは前記突出部の一側に切開形成される第１把持溝をさらに含むことを特徴とする請求項４に記載の保護フィルム貼着用器具。
【請求項６】
前記カバーは前記第２収容溝の床面に貫通形成される貫通孔をさらに含むことを特徴とする請求項４に記載の保護フィルム貼着用器具。
【請求項７】
前記フィルム部材は前記貫通孔に収容される保護フィルムと、前記保護フィルムの背面に貼着される第１離型紙と、前記保護フィルムの前面と前記貫通孔の縁に貼着される第２離型紙を含むことを特徴とする請求項６に記載の保護フィルム貼着用器具。
【請求項８】
前記第１離型紙は前記保護フィルムの上段部に貼着される第１−１離型紙と、前記保護フィルムの残り部分に貼着される第１−２離型紙を含むことを特徴とする請求項７に記載の保護フィルム貼着用器具。
【請求項９】
前記第２離型紙の縁に沿って貫通形成される少なくとも一つ以上の掛り溝を含み、前記カバーの前面には前記掛り溝に対応結合される少なくとも一つ以上の掛り突起が突出形成されることを特徴とする請求項７に記載の保護フィルム貼着用器具。
【請求項１０】
前記フィルム部材は前記第１離型紙と前記第２離型紙の一側にそれぞれ貼着される把持テープをさらに含むことを特徴とする請求項７に記載の保護フィルム貼着用器具。
【請求項１１】
前記カバーは前記第１収容溝と対応するように形成される貫通孔と、前記カバーの前面に前記貫通孔の縁に沿って低く段差形成される段差を含み、前記フィルム部材の縁が前記段差に沿って貼着されることを特徴とする請求項１に記載の保護フィルム貼着用器具。
【請求項１２】
請求項７に記載の保護フィルム貼着用器具を利用した保護フィルムの貼着方法において、
（ａ）前記ケースの第１収容溝に携帯電子機器を安着させる段階と、
（ｂ）前記フィルム部材の保護フィルムの背面に貼着された第１離型紙を剥離する段階と、
（ｃ）前記ケースに対して前記カバーを閉じる段階と、
（ｄ）前記カバー前面の第２離型紙の前面を擦って前記保護フィルムを前記携帯電子機器の前面に貼着する段階と、
（ｅ）前記保護フィルムから前記第２離型紙を剥離する段階を含む保護フィルムの貼着方法。
【発明の詳細な説明】
【技術分野】
【０００１】
本発明は携帯電子機器のディスプレイ部に保護フィルムを貼着するための保護フィルム貼着用器具及びこれを利用した保護フィルムの貼着方法に関する。
【背景技術】
【０００２】
モバイルフォン（ｍｏｂｉｌｅ  ｐｈｏｎｅ）やタブレットＰＣ（ｔａｂｌｅｔＰＣ）などの携帯電子機器に備えられるディスプレイパネルの破損またはスクラッチ（ｓｃｒａｔｃｈ）などの損傷を防止するために保護フィルムが用いられている。
【０００３】
特に、最近ではスマートフォン（ｓｍａｒｔ  ｐｈｏｎｅ）やタブレットＰＣの流行につれ、タッチスクリーン（ｔｏｕｃｈ  ｓｃｒｅｅｎ）を利用したＵＩ（ｕｓｅｒ  ｉｎｔｅｒｆａｃｅ）が普遍化されることによってディスプレイパネルの破損またはスクラッチなどによる損傷の危険性はさらに高まっており、これにより保護フィルムの使用も広がっている。
【０００４】
しかし、スマートフォンなどのディスプレイパネルに保護フィルムを正しい位置に気泡なしで綺麗に貼着することは熟練した技術者でなければかなり難しい。正しく貼られてない保護フィルムはディスプレイパネルの可視性に悪影響を及ぼし、タッチスクリーンを利用したＵＩ操作の邪魔になることもある。また、保護フィルムを一度で正確に貼ることができず、剥がして再度貼り直す過程を繰り返すと、保護フィルムの汚染により可視性及び貼着力が劣化され得る。
【０００５】
このような保護フィルムの貼着が難しいからといって保護フィルムを貼着しない場合は、ディスプレイパネルとこれを備えたスマートフォンまたはタブレットＰＣなどの携帯電子機器自体の寿命が短縮される問題点がある。
【発明の概要】
【発明が解決しようとする課題】
【０００６】
本発明は前述した問題点を解決するために案出されたものであって、携帯電子機器のディスプレイ部に保護フィルムを簡単に貼ることができるようにする保護フィルム貼着用器具を提供することに目的がある。
【０００７】
本発明の他の目的は保護フィルム貼着用器具を利用して保護フィルムを簡単に貼ることができる保護フィルムの貼着方法を提供することにある。
【課題を解決するための手段】
【０００８】
前述した本発明の目的は、携帯電子機器の背面を収容するように第１収容溝が形成されるケースと、前記ケースの一側に回動可能に設けられ、前記ケースを開閉するカバーと、前記携帯電子機器と対向するように前記カバーに設けられるフィルム部材を含む保護フィルム貼着用器具を提供することによって達成される。
【０００９】
本発明の一特徴によれば、前記ケースは内側に突出形成される突出部をさらに含み、前記第１収容溝が前記突出部に陥没形成され得る。
【００１０】
本発明の他の特徴によれば、前記突出部は前記ケースの内側に順に段差形成される第１突出部と第２突出部を含み得る。
【００１１】
本発明のまた他の特徴によれば、前記カバーは前記第２突出部を収容するように内側に陥没形成される第２収容溝を含み、前記ケースと前記カバーが結合するとき、前記第２突出部が前記第２収容溝に嵌合結合され得る。
【００１２】
本発明のまた他の特徴によれば、前記ケースは前記突出部の一側に切開形成される第１把持溝をさらに含み得る。
【００１３】
本発明のまた他の特徴によれば、前記カバーは前記第２収容溝の床面に貫通形成される貫通孔をさらに含み得る。
【００１４】
本発明のまた他の特徴によれば、前記フィルム部材は前記貫通孔に収容される保護フィルムと、前記保護フィルムの背面に貼着される第１離型紙と、前記保護フィルムの前面と前記貫通孔の縁に貼着される第２離型紙を含み得る。
【００１５】
本発明のまた他の特徴によれば、前記第１離型紙は前記保護フィルムの上段部に貼着される第１−１離型紙と、前記保護フィルムの残り部分に貼着される第１−２離型紙を含み得る。
【００１６】
本発明のまた他の特徴によれば、前記第２離型紙は縁を沿って貫通形成される少なくとも一つ以上の掛り溝を含み、前記カバーの前面には前記掛り溝に対応して結合される少なくとも一つ以上の掛り突起が突出形成される。
【００１７】
本発明のまた他の特徴によれば、前記フィルム部材は前記第１離型紙と前記第２離型紙の一側にそれぞれ貼着する把持テープをさらに含み得る。
【００１８】
本発明のまた他の特徴によれば、前記カバーは前記第１収容溝と対応するように形成される貫通孔と、前記カバーの前面に前記貫通孔の縁を沿って低く段差が形成される段差を含み、前記フィルム部材の縁が前記段差に沿って貼着され得る。
【００１９】
一方、前述した本発明の目的は、（ａ）前記ケースの第１収容溝に携帯電子機器を安着させる段階と、（ｂ）前記フィルム部材の保護フィルムの背面に貼着された第１離型紙を剥離する段階と、（ｃ）前記ケースに対して前記カバーを閉じる段階と、（ｄ）前記カバー前面の第２離型紙の前面を擦って、前記保護フィルムを前記携帯電子機器の前面に貼着する段階と、（ｅ）前記保護フィルムから前記第２離型紙を剥離する段階を含む保護フィルムの貼着方法を提供することによっても達成され得る。
【発明の効果】
【００２０】
本発明による保護フィルム貼着用器具及びこれを利用した保護フィルムの貼着方法によれば、熟練した技術者ではない一般人も保護フィルムを携帯電子機器のディスプレイ部に容易に貼着することができる。
【００２１】
また、本発明による保護フィルム貼着用器具及びこれを利用した保護フィルムの貼着方法によれば、気泡の発生なしで保護フィルムを正確に貼着することができるので、貼着失敗時に保護フィルムの再購買と再貼着による追加費用と時間所要を節減することができる。
【図面の簡単な説明】
【００２２】
【図１】本発明の第１実施例による保護フィルム貼着用器具の斜視図。
【図２】本発明の第１実施例による保護フィルム貼着用器具の分解斜視図。
【図３】本発明の第１実施例による保護フィルム貼着用器具の使用状態図。
【図４】本発明の第１実施例による保護フィルム貼着用器具の使用状態図。
【図５】本発明の第１実施例による保護フィルム貼着用器具の使用状態図。
【図６】本発明の第１実施例による保護フィルム貼着用器具の使用状態図。
【図７】本発明の第１実施例による保護フィルム貼着用器具の使用状態図。
【図８】本発明の第１実施例による保護フィルム貼着用器具の使用状態図。
【図９】本発明の第２実施例による保護フィルム貼着用器具の斜視図。
【図１０】本発明の第２実施例による保護フィルム貼着用器具の分解斜視図。
【図１１】本発明の第２実施例による保護フィルム貼着用器具の使用状態図。
【図１２】本発明の第２実施例による保護フィルム貼着用器具の使用状態図。
【図１３】本発明の第２実施例による保護フィルム貼着用器具の使用状態図。
【図１４】本発明の第２実施例による保護フィルム貼着用器具の使用状態図。
【発明を実施するための形態】
【００２３】
以下では本発明の実施例について添付する図面を参照して詳細に説明する。ただし、以下で説明する実施例は本発明が属する技術分野における通常の知識を有する者が発明を簡単に実施できる程度に詳細に説明するためのものに過ぎず、これによって本発明の保護範囲が限定されることを意味しない。そして本発明の多様な実施例を説明することにおいて、同じ技術的特徴を有する構成要素に対しては同じ図面符号を使用する。
【００２４】
一方、以下の実施例は「携帯電子機器」としてスマートフォンの一例を挙げて本発明について説明しているが、本発明による保護フィルム貼着用器具及びこれを利用した保護フィルムの貼着方法はタブレットＰＣやＰＤＡ、ナビゲーション、ＭＰ３プレーヤなど他の種類の携帯電子機器にも適用することができる。
【００２５】
また、以下の実施例で「前方」とはケースに装着された携帯電子機器の前面ディスプレイ部が向かう方向を指し、「後方」とはケースに装着された携帯電子機器の背面が向かう方向を指すことをあらかじめ明らかにする。
第１実施例
図１は本発明の第１実施例による保護フィルム貼着用器具の斜視図であり、図２は本発明の第１実施例による保護フィルム貼着用器具の分解斜視図である。
【００２６】
図１と図２に示すように、本発明の第１実施例による保護フィルム貼着用器具１００は、携帯電子機器１０を収容するケース２００と、ケース２００を開閉するカバー３００、及び携帯電子機器１０の前面ディスプレイ部に貼着されるようにカバー３００に備えられるフィルム部材５００を含む。
【００２７】
ここでケース２００は、例えば薄い厚さの合成樹脂フィルムからなり、ケース２００の内側面には縁に沿って所定の高さを有する突出部２１０が前方に突出形成され、突出部２１０の前面で後方に向かって第１収容溝２２０が陥没形成される。
【００２８】
携帯電子機器１０は背面が第１収容溝２２０に収容されるようにケース２００の内側に安着され、したがって第１収容溝２２０は携帯電子機器１０の形状と対応する形状で形成されるのが好ましい。また、第１収容溝２２０の幅と広さ及び深さなどの規格は第１収容溝２２０に収容される携帯電子機器１０の規格によって適切に選択され得る。
【００２９】
突出部２１０の後段縁に沿って第１フランジ部２３０が所定の幅で外側に向かって拡張形成され、突出部２１０は第１フランジ部２３０から前方に向かって突出形成される第１突出部２１１と、第１突出部２１１の内側で前方に向かって突出形成される第２突出部２１２を含む。すなわち、突出部２１０はケース２００の内側面に順に段差を有して突出形成される第１突出部２１１と第２突出部２１２を含み、前述した第１収容溝２２０は第２突出部２１２の前面に陥没形成される。
【００３０】
第１収容溝２２０の一側には第１、第２突出部（２１１、２１２）を通り、ケース２００の外側に延長される第１把持溝２２１が切開形成され、この第１把持溝２２１はケース２００とカバー３００が結合するときカバー３００の一側を把持して開くことができるようにユーザが指を差し込むことができる空間部を形成する役割を果たす。
【００３１】
また、第１収容溝２２０の上段部と下段部には縁に沿って所定の幅を有する第２把持溝２２２がそれぞれ形成され、ユーザはこの第２把持溝２２２を介して携帯電子機器１０の上段と下段を把持して携帯電子機器１０を第１収容溝２２０から容易に取り出すことができる。さらに、第１収容溝２２０の他の一側には携帯電子機器１０の側面の操作ボタンと対応するように少なくとも一つ以上のボタンの溝２２３が形成されるのが好ましい。
【００３２】
ケース２００一側の第１フランジ部２３０で所定の幅で連結部４００が延長形成され、連結部４００の一側にカバー３００が形成される。ケース２００とカバー３００及び連結部４００は一体で形成され得、ケース２００とカバー３００は連結部４００を中心に相互回動することができる。このために、連結部４００の幅方向の両側には容易に折りたたまれるように長さ方向に沿って折り目（図示せず）が形成されるのが好ましい。ここで折り目は、長さ方向に沿って延長形成される凹溝からなるか、または長さ方向に沿って互いに離隔する複数の凹溝が点線形態で延長されてなることができ、通常のパダーン線形態で形成され得る。
【００３３】
カバー３００は連結部４００に対してケース２００の反対の側に形成され、連結部４００の折り目を中心に回動してケース２００の前方を開閉することができる。
【００３４】
カバー３００は背面（ケース２００の突出部２１０の対向面）に所定の高さを有するように後方に突出形成される第３突出部３１０と、第３突出部３１０の表面で前方に陥没形成される第２収容溝３２０と、第２収容溝３２０の床面に貫通形成される貫通孔３３０を含んでなる。また、第２突出部２１２の後段縁に沿って第２フランジ部３４０が所定の幅を有するように外側に拡張形成される。
【００３５】
ケース２００とカバー３００の結合時、ケース２００の第２突出部２１２がカバー３００の第２収容溝３２０に締まりばめ式で結合され、このときケース２００の第１突出部２１１とカバー３００の第３突出部３１０は互いに接する。
【００３６】
第２収容溝３２０に携帯電子機器１０と対向するようにフィルム部材５００が収容されるが、ここでフィルム部材５００は携帯電子機器１０の前面ディスプレイ部に貼着しようとする保護フィルム５１０と、保護フィルム５１０の背面に貼着して保護フィルム５１０を保護する第１離型紙５２０と、保護フィルム５１０の前面に貼着されて保護フィルム５１０を保護する第２離型紙５３０を含む。
【００３７】
このとき、第２離型紙５３０はカバー３００の前面に貼着するが、第２離型紙５３０の縁が粘着材などによって貫通孔３３０の縁に沿って貼着される。第２離型紙５３０の背面には貫通孔３３０に収容されるように保護フィルム５１０が貼着され、保護フィルム５１０の背面に第１離型紙５２０が貼着される。すなわち、貫通孔３３０の縁に沿って第２離型紙５３０の縁が貼着されることによって、第２離型紙５３０に貼着された保護フィルム５１０が第１離型紙５２０と共に貫通孔３３０内に配置される。一方、保護フィルム５１０が携帯電子機器１０の前面ディスプレイ部に強固に貼着できるように保護フィルム５１０の背面には粘着層が形成されるのが好ましく、このとき、保護フィルム５１０は例えばポリウレタンなどの合成樹脂または強化ガラス材質からなる。
【００３８】
さらに、第１離型紙５２０と第２離型紙５３０の一側には保護フィルム５１０から容易に把持して剥離できるようにそれぞれ第１把持テープ５４０と第２把持テープ５５０が貼着され得る。それぞれの把持テープ（５４０、５５０）は離型紙（５２０、５３０）と一体で形成されることもでき、別途の把持テープ（５４０、５５０）が離型紙（５２０、５３０）に貼着することも可能である。
【００３９】
ここで、第１離型紙５２０は保護フィルム５１０の上段部に貼着される第１−１離型紙５２１と、保護フィルム５１０の残り部分に貼着される第１−２離型紙５２２を含んでなるが、これは第１離型紙５２０を剥離するとき第２離型紙５３０から保護フィルム５１０が共に剥離されたり、保護フィルム５１０が流動することを防止するためである。
【００４０】
第１離型紙５２０の面積が広すぎる場合は第１離型紙５２０と保護フィルム５１０と間の粘着力によって第１離型紙５２０を剥離するとき、保護フィルム５１０が共に剥離される可能性がある。
【００４１】
また、例えば携帯電子機器１０の上段部にスピーカやカメラレンズが備えられる場合、これらと対応するように保護フィルム５１０の上段部にスピーカホールやレンズホールが貫通形成される。しかし、過度に大きい規格の離型紙を一度に保護フィルム５１０から剥離すると、保護フィルム５１０の流動によってスピーカホールやレンズホールの貼着位置がずれ得、これを防止するためには第１離型紙５２０をスピーカホールやレンズホールと対応する部分の第１−１離型紙５２１と残りの部分の第１−２離型紙５２２に上下区分して形成するのが好ましい。
【００４２】
この際、第１把持テープ５４０も第１−１離型紙５２１に貼着される第１−１把持テープ５４１と、第１−２離型紙５２２に貼着される第１−２把持テープ５４２を含んでなることは勿論である。
【００４３】
第２離型紙５３０は縁に沿って少なくとも一つ以上の掛り溝５３１が貫通形成され、カバー３００の前面には貫通孔３３０の外側に所定間隔離隔して掛り溝５３１に対応結合するように少なくとも一つ以上の掛り突起３５０が突出形成される。
【００４４】
ここで第２離型紙５３０の掛り溝５３１はフィルム部材５００の貼着位置を案内する役割を果たす。すなわち、本発明によれば、フィルム部材５００の使用後、携帯電子機器１０に新しい保護フィルム５１０を貼着しようとする場合、保護フィルム５１０と第１、第２離型紙（５２０、５３０）を含む新しいフィルム部材５００をカバー３００に貼着することによってケース２００とカバー３００を再使用することができる。このとき、カバー３００の掛り突起３５０が第２離型紙５３０の掛り溝５３１に挿入されるようにフィルム部材５００を貼着することによって保護フィルム５１０を正確な貼着位置に配置することができる。
【００４５】
図３ないし図８は本発明の第１実施例による保護フィルム貼着用器具の使用状態図である。以下、図３ないし図８を参照して本発明の第１実施例による保護フィルム貼着器具１００の使用方法について段階別に説明する。
【００４６】
本発明の第１実施例による保護フィルム貼着用器具１００は、第２収容溝３２０にフィルム部材５００が備えられ、ケース２００にカバー３００が結合された状態で提供されるのが好ましく、必要に応じてはケース２００が開放された状態で提供されることもできる。また、別途に提供されるフィルム部材５００をカバー３００に貼着して使用したり、別途のフィルム部材５００を購入して使用することも可能であり、ケース２００とカバー３００は繰り返して再使用することができる。
【００４７】
先ず、図３に示すようにケース２００からカバー３００を分離し、ケース２００の第１収容溝２２０に携帯電子機器１０の前面が露出するように安着させる。
【００４８】
その後、図４に示すようにカバー３００の第２収容溝３２０に収容されたフィルム部材５００から第１−１離型紙５２１を剥離し、次いで図５に示すように第１−２離型紙５２２を剥離することによって保護フィルム５１０の背面を露出させる。この際、第１−１離型紙５２１と第１−２離型紙５２２の剥離順序は互いに変えて行うことも可能であり、保護フィルム５１０の背面には粘着層が形成されるのが好ましい。
【００４９】
次に、図６に示すようにケース２００の第２突出部２１２がカバー３００の第２収容溝３２０に嵌合結合されるようにカバー３００を閉じる。このとき、携帯電子機器１０の前面が第２収容溝３２０に収容され、別途に提供されるヘラ６００などの道具を利用したり指や手の平などで直接第２離型紙５３０の前面を擦って携帯電子機器１０の前面ディスプレイ部に保護フィルム５１０を貼着する。
【００５０】
その次に、図７に示すようにカバー３００の前面から第２離型紙５３０を剥がすが、このとき、保護フィルム５１０は携帯電子機器１０の前面ディスプレイ部に貼着されている状態である。
【００５１】
最後に、図８に示すように第１把持溝２２１に指を入れてカバー３００を開いた後、保護フィルム５１０が貼着された携帯電子機器１０をケース２００から分離することによって保護フィルム５１０の貼着作業を完了する。
【００５２】
一方、また他の保護フィルム５１０の貼着作業が必要な場合は、別途のフィルム部材５００をカバー３００に貼着した後、前述した作業過程を繰り返すことができ、このとき、カバー３００の掛り突起３５０が第２離型紙５３０の掛り溝５３１に挿入されるようにすることによってフィルム部材５００を正確な貼着位置に配置できることは前述した通りである。
【００５３】
別途に提供されたり購入したフィルム部材５００は第２離型紙５３０の背面縁に沿って第３離型紙（図示せず）が貼着されているのが好ましく、フィルム部材５００を貼着するときには第３離型紙を除去した後、掛り溝５３１に掛り突起３５０が挿入されるように第２離型紙５３０の縁をカバー３００の前面の貫通孔３３０の縁に沿って貼着するのが好ましい。
第２実施例
図９は本発明の第２実施例による保護フィルム貼着用器具の斜視図であり、図１０は本発明の第２実施例による保護フィルム貼着用器具の分解斜視図である。
【００５４】
図９と図１０に示すように、本発明の第２実施例による保護フィルム貼着用器具１００ａは、携帯電子機器１０ａを収容するケース２００ａと、ケース２００ａを開閉するカバー３００ａ、及び携帯電子機器１０ａの前面ディスプレイ部に貼着するようにカバー３００ａ内に備えられるフィルム部材５００ａを含む。
【００５５】
ケース２００ａは例えば薄い厚さの合成樹脂フィルムからなり、所定の高さを有するように前方に突出形成される第１突出部２１０ａと、第１突出部２１０ａの表面で後方に陥没形成される第１収容溝２２０ａを含んでなる。このとき、第１突出部２１０ａの後段の縁に沿って第１フランジ部２３０ａが所定の幅を有するように外側に拡張形成され得る。
【００５６】
第１突出部２１０ａには少なくとも一つ以上のガイド溝２１１ａが互い離隔して形成され、このガイド溝２１１ａはケース２００ａとカバー３００ａを結合するとき、カバー３００ａのガイド突起３１１ａが挿入されることによってケース２００ａとカバー３００ａの結合方向を案内する。このとき、ガイド溝２１１ａがカバー３００ａに形成され、ガイド突起３１１ａがケース２００ａに形成されることもでき、ガイド溝２１１ａとガイド突起３１１ａは嵌合結合によってケース２００ａとカバー３００ａを結合する役割も果たすことができる。さらに、図面に示していないが、別途の結合突起と結合溝がケース２００ａとカバー３００ａの対向面にそれぞれに形成されるのも可能である。
【００５７】
また、他の例として、前述した第１実施例のように第１、第２突出部が順に段差形成され、ケース２００ａの第２突出部がカバー３００ａの第２収容溝３２０ａに嵌合結合され得ることは勿論である。
【００５８】
第１収容溝２２０ａには携帯電子機器１０ａの背面が収容される。このとき、第１収容溝２２０ａの一側には、第１収容溝２２０ａに収容された携帯電子機器１０ａを容易に把持して取り出すことができるように把持溝（図示せず）が形成され得る。さらに、携帯電子機器１０ａの側面に備えられる操作ボタンに対応し、第１収容溝２２０ａの縁にボタン溝２２３ａが形成されるのが好ましい。
【００５９】
ケース２００ａ一側の第１フランジ部２３０ａで所定の幅に連結部４００ａが延長形成され、連結部４００ａの一側にカバー３００ａが形成される。ケース２００ａとカバー３００ａ及び連結部４００ａは一体で形成され得、ケース２００ａとカバー３００ａは連結部４００ａを中心に相互回動することができる。このために、連結部４００ａの幅方向の両側には容易に折りたたまれるように長さ方向に沿って折り目（図示せず）が形成されるのが好ましい。ここで折り目は、長さ方向に沿って延長形成される凹溝からなるか、または長さ方向に沿って互いに離隔する複数の凹溝が点線形態で延長されることによって形成され得、通常の破断線からなることも可能である。
【００６０】
カバー３００ａは連結部４００ａに対し、ケース２００ａの反対側に形成され、連結部４００ａの折り目を中心に回動してケース２００ａの前方を開閉することができる。
【００６１】
カバー３００ａは背面（ケース２００ａの第１突出部２１０ａの対向面）に所定の高さを有するように後方に突出形成される第２突出部３１０ａと、第２突出部３１０ａの表面で前方に陥没形成される第２収容溝３２０ａを含んでなる。このとき、第２突出部３１０ａの後段縁に沿って第２フランジ部３４０ａが所定の幅で外側に拡張形成され得る。
【００６２】
第２突出部３１０ａには少なくとも一つ以上のガイド突起３１１ａが互いに離隔して突出形成され得、ケース２００ａとカバー３００ａの結合時にカバー３００ａのガイド突起３１１ａがケース２００ａのガイド溝２１１ａに挿入されることによってカバー３００ａとケース２００ａの結合方向を案内する。
【００６３】
第２収容溝３２０ａの床面にはケース２００ａの第１収容溝２２０ａと対応するように貫通孔３３０ａが形成される。
【００６４】
また、フィルム部材５００ａは例えばポリウレタン樹脂材質の保護フィルム５１０ａと、保護フィルム５１０ａの前面に貼着される第１離型紙５２０ａと、保護フィルム５１０ａの背面に貼着される第２離型紙５３０ａを含み、このとき、第１離型紙５２０ａの幅と長さは保護フィルム５１０ａ及び第２離型紙５３０ａの幅と長さより大きい。
【００６５】
保護フィルム５１０ａから第１離型紙５２０ａを容易に把持して剥離できるように、第１離型紙５２０ａの上段の一側に第１把持テープ５４０ａが形成され得る。このとき、第１把持テープ５４０ａは第１離型紙５２０ａと一体で形成されることもでき、別途の第１把持テープ５４０ａが第１離型紙５２０ａに貼着されることも可能である。この場合、第１把持テープ５４０ａの一端は第１離型紙５２０ａの上段一側に貼着され、他端は第１離型紙５２０ａの上段の外側に上向突出する。さらに、第２離型紙５３０ａも保護フィルム５１０ａから容易に剥離されるように上段に第２把持テープ５５０ａが第２離型紙５３０ａと一体で形成されるか、または別途の第２把持テープ５５０ａが第２離型紙５３０ａの上段に貼着され得るのは勿論であり、第２収容溝３２０ａの上段の一側には第１把持テープ５４０ａの突出した上段を収容するための把持テープ収容溝３２１ａが上向に延長形成され得る。
【００６６】
一方、カバー３００ａの前面には貫通孔３３０ａの縁に沿って段差３３１ａが低く段差形成され、フィルム部材５００ａが貫通孔３３０ａ内に配置されるが、このとき、第２離型紙５３０ａの縁が段差３３１ａに沿って貼着される。すなわち、本発明の第２実施例によれば、第２離型紙５３０ａの縁が貫通孔３３０ａの縁の段差３３１ａに貼着された状態で、保護フィルム５１０ａと第１離型紙５２０ａが段差３３１ａから所定間隔離隔して貫通孔３３０ａ内に支持される。
【００６７】
また、段差３３１ａはフィルム部材５００ａを貼着するとき保護フィルム５１０ａが正確な貼着位置に配置されるように案内する役割も果たす。すなわち、ユーザが別途に提供されるフィルム部材５００ａをカバー３００ａに装着したり、別途のフィルム部材５００ａを購入してカバー３００ａに装着するとき、貫通孔３３０ａの縁の段差３３１ａに沿って第２離型紙５３０ａの縁を貼着することによって正確な貼着位置にフィルム部材５００ａを配置することができる。
【００６８】
図１１ないし図１４は本発明の第２実施例による保護フィルム貼着用器具の使用状態図である。以下、図１１ないし図１４を参照して本発明の第２実施例による保護フィルム貼着用器具１００ａを利用して保護フィルム５１０ａを貼着する方法について段階別に説明する。
【００６９】
本発明の第２実施例による保護フィルム貼着用器具１００ａは、カバー３００ａにフィルム部材５００ａが備えられ、カバー３００ａがケース２００ａに結合された状態で提供されるのが好ましい。勿論、必要に応じてはケース２００ａが開放された状態で提供されることもできる。また、別途のフィルム部材５００ａを購入してカバー３００ａに貼着した後に使用することもでき、したがってケース２００ａとカバー３００ａを繰り返して再使用が可能である。
【００７０】
先ず、図１１に示すようにケース２００ａからカバー３００ａを分離し、ケース２００ａの第１収容溝２２０ａに携帯電子機器１０ａの前面が露出するように安着させる。
【００７１】
その後、図１２に示すように第１把持テープ５４０ａを持ってカバー３００ａの背面のフィルム部材５００ａから第１離型紙５２０ａを剥離して保護フィルム５１０ａの粘着面を露出させる。
【００７２】
次いで、図１３に示すようにカバー３００ａを回動させてガイド突起３１１ａがガイド溝２１１ａに挿入されるようにケース２００ａと結合する。カバーを結合した後に第２離型紙５３０ａの前面を加圧または擦って、貫通孔３３０ａを介して携帯電子機器１０ａの前面ディスプレイ部に保護フィルム５１０ａが貼着されるようにする。
【００７３】
その後、第２把持テープ５５０ａを持ってカバー３００ａの段差３３１ａに沿って第２離型紙５３０ａの縁を剥がす。このとき、第２離型紙５３０ａは携帯電子機器１０ａの前面ディスプレイ部に貼着された保護フィルム５１０ａから剥離され、ユーザは貫通孔３３０ａを介して、または図１４に示すようにカバー３００ａの開放後、保護フィルム５１０ａの前面を加圧または擦って、保護フィルム５１０ａの貼着作業を終えるか、携帯電子機器１０ａを第１収容溝２２０ａから取り出して使用することができる。
【００７４】
また他の保護フィルム５１０ａの貼着作業が必要な場合は、別途のフィルム部材５００ａを購入してカバー３００ａの前面の段差３３１ａに沿って第２離型紙５３０ａの縁を貼着した後、前述した作業過程を繰り返すことができる。このとき、別途に購入するフィルム部材５００ａの場合、第２離型紙５３０ａの幅と長さが保護フィルム５１０ａ及び第１離型紙５２０ａの幅と長さより大きく、段差３３１ａに貼着される第２離型紙５３０ａの縁に沿って粘着層が形成され、この粘着層が別途の第３離型紙（図示せず）により保護されるのが好ましい。
【００７５】
以上、本発明の実施例について説明したが、本発明が属する技術分野における通常の知識を有する者は、本発明の特許請求の範囲を外れない範囲で多様に変形実施することができる。
【符号の説明】
【００７６】
１０、１０ａ    携帯電子機器
１００、１００ａ    保護フィルム貼着用器具
２００、２００ａ    ケース
２１１、２１０ａ    第１突出部
２１２、３１０ａ    第２突出部
２２０、２２０ａ    第１収容溝
３００、３００ａ    カバー
３１０    第３突出部
３２０、３２０ａ    第２収容溝
３３０、３３０ａ    貫通孔
３３１ａ    段差
３５０    掛り突起
４００、４００ａ    連結部
５００、５００ａ    フィルム部材
５１０、５１０ａ    保護フィルム
５２０、５２０ａ    第１離型紙
５３０、５３０ａ    第２離型紙
５３１    掛り溝
５４０、５４０ａ    第１把持テープ
５５０、５５０ａ    第２把持テープ
【図１】
2017130907.tif 000003
【図２】
2017130907.tif 000004
【図３】
2017130907.tif 000005
【図４】
2017130907.tif 000006
【図５】
2017130907.tif 000007
【図６】
2017130907.tif 000008
【図７】
2017130907.tif 000009
【図８】
2017130907.tif 000010
【図９】
2017130907.tif 000011
【図１０】
2017130907.tif 000012
【図１１】
2017130907.tif 000013
【図１２】
2017130907.tif 000014
【図１３】
2017130907.tif 000015
【図１４】
2017130907.tif 000016
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
携帯電子機器の背面を収容するように第１収容溝が形成されるケースと、
前記ケースの一側に回動可能に設けられ、前記ケースを開閉するカバーと、
前記携帯電子機器と対向するように前記カバーに設けられるフィルム部材を含み、
前記ケースは内側に突出形成される突出部をさらに含み、前記第１収容溝が前記突出部に陥没形成され、
前記突出部は前記ケースの内側に順に段差形成される第１突出部と第２突出部を含み、
前記カバーは前記第２突出部を収容するように内側に陥没形成される第２収容溝を含み、前記ケースと前記カバーが結合するとき、前記第２突出部が前記第２収容溝に嵌合結合され、
前記カバーは前記第２収容溝の床面に貫通形成される貫通孔をさらに含み、
前記フィルム部材は前記貫通孔に収容される保護フィルムと、前記保護フィルムの背面に貼着される第１離型紙と、前記保護フィルムの前面と前記貫通孔の縁に貼着される第２離型紙を含み、
前記第２離型紙の縁に沿って貫通形成される少なくとも一つ以上の掛り溝を含み、前記カバーの前面には前記掛り溝に対応結合される少なくとも一つ以上の掛り突起が突出形成されることを特徴とする保護フィルム貼着用器具。
【請求項２】
前記ケースは前記突出部の一側に切開形成される第１把持溝をさらに含むことを特徴とする請求項１に記載の保護フィルム貼着用器具。
【請求項３】
前記第１離型紙は前記保護フィルムの上段部に貼着される第１−１離型紙と、前記保護フィルムの残り部分に貼着される第１−２離型紙を含むことを特徴とする請求項１に記載の保護フィルム貼着用器具。
【請求項４】
前記フィルム部材は前記第１離型紙と前記第２離型紙の一側にそれぞれ貼着される把持テープをさらに含むことを特徴とする請求項１に記載の保護フィルム貼着用器具。
【請求項５】
前記カバーは前記第１収容溝と対応するように形成される貫通孔と、前記カバーの前面に前記貫通孔の縁に沿って低く段差形成される段差を含み、前記フィルム部材の縁が前記段差に沿って貼着されることを特徴とする請求項１に記載の保護フィルム貼着用器具。